(57)【特許請求の範囲】
【請求項１】
柱梁仕口部の上下に下層柱部と上層柱部とを備えて、これら下層柱部と柱梁仕口部とから構成される１階層とその上の階層の上層柱部までを構成する高さ寸法で中空筒体状にプレキャスト成形された外殻ＰＣａ柱部材と、
建物３階層分の高さ寸法を有し、上記外殻ＰＣａ柱部材内にその高さ方向に沿って移動自在に設けられた柱主筋と、
上記柱梁仕口部に形成され、梁主筋が移動自在に挿通される貫通孔とを備えたことを特徴とする柱ユニット。
【請求項２】
前記柱梁仕口部には、前記貫通孔を介して外方へ突出させて、上記梁主筋として貫通梁主筋が配筋されていることを特徴とする請求項１に記載の柱ユニット。
【請求項３】
前記柱梁仕口部には、これに接続される梁部材を定着させるシャーコッタが形成されていることを特徴とする請求項１または２に記載の柱ユニット。
【請求項４】
前記外殻ＰＣａ柱部材には、柱剪断補強筋が埋設されていることを特徴とする請求項１〜３いずれかの項に記載の柱ユニット。
【請求項５】
前記梁主筋には、前記外殻ＰＣａ柱部材内に打設されるコンクリートに埋設されて当該梁主筋を定着させる定着部が形成されていることを特徴とする請求項１〜４いずれかの項に記載の柱ユニット。
【発明の詳細な説明】
【技術分野】
【０００１】
本発明は、ＲＣ造柱・梁架構の３階層分を一単位として、さらなる施工の合理化・省力化を達成することが可能な柱ユニットに関する。
【背景技術】
【０００２】
従来、施工効率の高い柱および梁の構築方法として、特許文献１および特許文献２が知られている。特許文献１は、各施工階毎の揚重回数が少なく、柱主筋と柱主筋との接続回数が少なく、現場で柱主筋に柱剪断補強筋を配筋する必要がなく、施工効率の高い柱の構築方法、並びに柱および梁の構築方法を提供することを目的とし、フルＰＣ柱は、２階分の階高長さを有する第１柱主筋が埋設されるとともに、上部に１階分の柱剪断補強筋が束ねて仮止めされており、第２柱主筋に接続されて立設される。（Ｎ−１）階からの第３柱主筋のＮ階部分には、柱剪断補強筋が配筋されて柱型枠が形成される。ハーフＰＣ梁は、一端側の梁主筋を第１柱主筋に挿入する一方、他端側の梁主筋を第３柱主筋に挿入して吊り降ろされ、フルＰＣ柱と柱型枠との間に架設される。
【０００３】
その結果、フルＰＣ柱のＮ階への揚重回数、第１柱主筋の接続回数を従来の半分にできる。また、柱剪断補強筋を第１柱主筋の上方に仮止めしておくことで、ハーフＰＣ梁の架設と柱剪断補強筋の配筋を容易にできる。
【０００４】
特許文献２は、特許文献１と同様な目的を有し、先組柱主筋は、２階分の階高長さを有して上部に（１階分＋パネルゾーン分）の柱剪断補強筋が束ねて仮止めされており、（Ｎ−２）階からの第２柱主筋に接続されて立設される。先組柱主筋のＮ階部分には第１柱型枠が形成される一方、（Ｎ−１）階からの第３柱主筋のＮ階部分には第２柱型枠が形成されて、コンクリートが打設される。ハーフＰＣ梁は、一端側の梁主筋を先組柱主筋に挿入する一方、他端側の梁主筋を第３柱主筋に挿入して吊り降ろされて架設される。その結果、先組柱主筋のＮ階への揚重回数、先組柱主筋の接続回数を従来の半分にできる。また、柱剪断補強筋を先組柱主筋の上方に仮止めしておくことで、ハーフＰＣ梁の架設と柱剪断補強筋の配筋を容易にできる。
【特許文献１】特開２０００−２６５５４５号公報
【特許文献２】特開２０００−２６５５４６号公報
【発明の開示】
【発明が解決しようとする課題】
【０００５】
ところで、上記背景術は、ＲＣ造柱・梁架構２階分の施工を基準として各種作業の省力化を実現できるものであるが、さらに多層階に対する施工作業を単位としてその施工の合理化、省力化を達成することが可能な部材構成の案出が望まれていた。
【０００６】
本発明は上記従来の課題に鑑みて創案されたものであって、ＲＣ造柱・梁架構の３階層分を一単位として、さらなる施工の合理化・省力化を達成することが可能な柱ユニットを提供することを目的とする。
【課題を解決するための手段】
【０００７】
本発明にかかる柱ユニットは、柱梁仕口部の上下に下層柱部と上層柱部とを備えて、これら下層柱部と柱梁仕口部とから構成される１階層とその上の階層の上層柱部までを構成する高さ寸法で中空筒体状にプレキャスト成形された外殻ＰＣａ柱部材と、建物３階層分の高さ寸法を有し、上記外殻ＰＣａ柱部材内にその高さ方向に沿って移動自在に設けられた柱主筋と、上記柱梁仕口部に形成され、梁主筋が移動自在に挿通される貫通孔とを備えたことを特徴とする。
【０００８】
前記柱梁仕口部には、前記貫通孔を介して外方へ突出させて、上記梁主筋として貫通梁主筋が配筋されていることを特徴とする。
【０００９】
前記柱梁仕口部には、これに接続される梁部材を定着させるシャーコッタが形成されていることを特徴とする。
【００１０】
前記外殻ＰＣａ柱部材には、柱剪断補強筋が埋設されていることを特徴とする。
【００１１】
前記梁主筋には、前記外殻ＰＣａ柱部材内に打設されるコンクリートに埋設されて当該梁主筋を定着させる定着部が形成されていることを特徴とする。
【発明の効果】
【００１２】
本発明にかかる柱ユニットにあっては、ＲＣ造柱・梁架構の３階層分を一単位として、さらなる施工の合理化・省力化を達成することができる。具体的には、外殻ＰＣａ柱部材自体によって、下層柱部と柱梁仕口部とから構成される１階層とその上の階層の上層柱部までを一挙に構成することができる。また、外殻ＰＣａ柱部材は、中空筒体状であって軽量であり、操作性良好に揚重して建て込むことができる。また、柱梁仕口部には、貫通孔が形成されていて、下層および上層の２つの柱部に挟まれて外殻ＰＣａ柱部材の上下端から深い位置にある柱梁仕口部に対しても、梁主筋を容易に配筋することができる。また、建物３階層分の高さ寸法を有して、外殻ＰＣａ柱部材から少なくとも１階層分突出する柱主筋を備えていて、この突出部分を利用して１階層分の外殻ＰＣａ柱部材を装着したり、その周りに１階層分の柱型枠をセットすることで、容易に３階層目の柱部分を構築することができる。さらに、柱主筋を外殻ＰＣａ柱部材に対しその高さ方向に沿って移動自在に設けたので、柱主筋を外殻ＰＣａ柱部材に対して移動させて当該外殻ＰＣａ柱部材から突出するようにセットすることで、施工階に突設された既設の柱主筋との接合作業を容易化できるとともに、接合後は柱主筋に対して外殻ＰＣａ柱部材を移動させることで、作業性良好に外殻ＰＣａ柱部材を柱建て込み位置に設置することができる。
【発明を実施するための最良の形態】
【００１３】
以下に、本発明にかかる柱ユニットの好適な一実施形態を、添付図面を参照して詳細に説明する。本実施形態にかかる柱ユニット１は基本的には、図１から図５に示すように、柱梁仕口部３ａの上下に下層柱部６ａと上層柱部６ｂとを備えて、これら下層柱部６ａと柱梁仕口部３ａとから構成される１階層とその上の階層の上層柱部６ｂまでを構成する高さ寸法で中空筒体状にプレキャスト成形された外殻ＰＣａ柱部材６と、建物３階層分の高さ寸法を有し、外殻ＰＣａ柱部材６内にその高さ方向に沿って移動自在に設けられた柱主筋９と、柱梁仕口部３ａに形成され、梁主筋としての貫通梁主筋７が移動自在に挿通される貫通孔１２とを備えて構成される。
【００１４】
外殻ＰＣａ柱部材６は、遠心成形あるいは所定型枠へのコンクリート流し込み成形により中空筒体状にプレキャスト成形される。外殻ＰＣａ柱部材６には、その肉厚部分にフープ筋１０、また必要に応じて、中子筋１１が柱剪断補強筋として埋設されて配筋される。これらフープ筋１０や中子筋１１は、遠心成形に際して、予め遠心成形用型枠に配設され、当該遠心成形用型枠内に投入されて遠心力の作用を受けるコンクリートによって覆われて、外殻ＰＣａ柱部材６に埋設される。流し込み成形の場合も同様である。
【００１５】
外殻ＰＣａ柱部材６は、下層柱部６ａ、柱梁仕口部３ａおよび上層柱部６ｂを備える高さ寸法で形成される。外殻ＰＣａ柱部材６の柱梁仕口部３ａは下層柱部６ａ等と一連に中空筒体状に形成され、その肉厚部分を貫通して複数の貫通孔１２が形成される。これら貫通孔１２にはそれぞれ、柱梁仕口部３ａを貫通して外方へ突出される貫通梁主筋７が移動自在に配筋される。柱梁仕口部３ａから外方へ突出された貫通梁主筋７の突出部分には、スターラップ筋１３が配筋される。
【００１６】
図４には、隅柱位置に建て込まれる外殻ＰＣａ柱部材６の平断面図が示されている。この外殻ＰＣａ柱部材６では、貫通孔１２が前後面のいずれか、そしてまた左右面のいずれかに形成され、貫通梁主筋７は、当該外殻ＰＣａ柱部材６の前後方向および左右方向について、一方からのみ、外殻ＰＣａ柱部材６を貫通することなく配筋される。この隅柱位置の外殻ＰＣａ柱部材６に配筋される貫通梁主筋７には、これを定着させるために、当該外殻ＰＣａ柱部材６内に打設されるコンクリートに埋設される定着部３０が設けられる。この定着部３０は、貫通梁主筋７に支圧部となる突起を形成することで構成され、例えば貫通梁主筋７にネジ部を形成してこれにナットを螺合させたり、貫通梁主筋７にリングを挿入して接合するなどして構成される。従って、定着部３０が設けられる貫通梁主筋７を挿通するための貫通孔１２は、その挿入操作が可能なように、定着部３０を備えない貫通梁主筋７が挿通されるものよりも大きな孔径で形成される。図示しないけれども、側柱についても同様に、外殻ＰＣａ柱部材６を貫通することなく配筋される貫通梁主筋７に定着部３０が形成される。
【００１７】
また、柱梁仕口部３ａの外表面には図５に示すように、当該柱梁仕口部３ａに対して接続される梁部材を定着させるために、シャーコッタ３１が形成される。図示例にあっては、シャーコッタ３１は、高さ方向に多段に形成された複数の凹部３１ａで構成されている。シャーコッタ３１はこれに限らず、スタッドジベルを用いるなど、従来周知の各種構成を採用することができる。そしてこのシャーコッタ３１は、柱梁仕口部３ａとこれに突き合わせられる梁部材の端部との間に打設される現場打ちコンクリートと噛み合って、梁部材を柱梁仕口部３ａに対し強固に接合する。
【００１８】
これらシャーコッタ３１、そして上記貫通孔１２は、遠心成形用型枠内あるいは流し込み成形用の所定型枠内に、これら貫通孔１２やシャーコッタ３１を成形するための成形型が装着されて、外殻ＰＣａ柱部材６の成形段階で当該外殻ＰＣａ柱部材６と同時に一体的に形成される。
【００１９】
柱主筋９は、建物３階層分の高さ寸法Ｌを有する。柱主筋９は、外殻ＰＣａ柱部材６内部の中央位置およびその内周面に沿わせて適宜に配筋される。これら柱主筋９は、柱建て込み位置への建て込み前のクレーンなどによる吊り上げ状態で、外殻ＰＣａ柱部材６内にその高さ方向に沿って移動自在に設けられる。具体的には、吊り具として、外殻ＰＣａ柱部材６を吊るための第１吊り具１４と、柱主筋９を吊るための第２吊り具１５とが用いられ、これら吊り具１４，１５の上下位置関係を調整することで外殻ＰＣａ柱部材６と柱主筋９との位置関係を調節して、柱主筋９の下端部を外殻ＰＣａ柱部材６から下方に鉄筋接合作業に必要な長さだけ突出させた状態で吊り込みが行われるようになっている。このように柱主筋９の下端部を突出させることで、柱建て込み位置に床面レベルより所定長さ突設された下階からの既設の柱主筋８との接合作業の利便性が図られる。
【００２０】
既設の柱主筋８と、柱ユニット１を構成する突出状態の柱主筋９との接合後、これら柱主筋８，９同士の接合部分を覆うようにして第１吊り具１４が下降されて、外殻ＰＣａ柱部材６が柱建て込み位置に建て込まれるようになっている。柱主筋９は３階層分の高さ寸法Ｌで形成されることから、既設の柱主筋８と接合することで、当該柱主筋９は、外殻ＰＣａ柱部材６から上方へ、１つの柱梁接合部分の高さおよび１階層分の高さに、既設の柱主筋８の突設量を加えた高さＰで突出される。柱主筋８，９同士の接合は、ガス圧接継ぎ手や溶接継ぎ手、重ね継ぎ手、ねじ継ぎ手、スリーブ継ぎ手など各種周知の継ぎ手を採用することができる。また、柱主筋９には予め、当該柱主筋９の長さ方向に沿って配筋される複数のフープ筋１６、本実施形態にあっては、上層柱部６ｂ上の柱梁仕口部に配筋されるフープ筋１６が適宜位置にまとめて、番線などによって束ねて保持される。
【００２１】
以上の柱ユニット１は、その柱主筋９が施工階の柱建て込み位置に突設された既設の柱主筋８と接合された上で、外殻ＰＣａ柱部材６が建て込まれることで、下層柱部６ａ、貫通梁主筋７を有する柱梁柱梁仕口部３ａ、並びに上層柱部６ｂを構成する。
【００２２】
以上の構成を備える本実施形態にかかる柱ユニット１にあっては、外殻ＰＣａ柱部材６自体によって、下層柱部６ａと柱梁仕口部３ａとから構成される１階層とその上の階層の上層柱部６ｂまでを一挙に構成することができる。また、外殻ＰＣａ柱部材６は、中空筒体状であって軽量であり、操作性良好に揚重して建て込むことができる。また、柱梁仕口部３ａには、貫通孔１２が形成されていて、２つの柱部６ａ，６ｂに挟まれて外殻ＰＣａ柱部材６の上下端から深い位置にある柱梁仕口部３ａに対しても、貫通梁主筋７を容易に配筋することができる。また、建物３階層分の高さ寸法Ｌを有して、外殻ＰＣａ柱部材６から少なくとも１階層分突出する柱主筋９を備えていて、この突出部分を利用して１階層分の外殻ＰＣａ柱部材を装着したり、その周りに１階層分の柱型枠をセットすることで、容易に３階層目の柱部分を構築することができる。さらに、柱主筋９を外殻ＰＣａ柱部材６に対しその高さ方向に沿って移動自在に設けたので、柱主筋９を外殻ＰＣａ柱部材６に対して移動させて当該外殻ＰＣａ柱部材６から突出するようにセットすることで、施工階に突設された既設の柱主筋８との接合作業を容易化できるとともに、接合後は柱主筋９に対して外殻ＰＣａ柱部材６を移動させることで、作業性良好に外殻ＰＣａ柱部材６を柱建て込み位置に設置することができる。
【００２３】
また、外殻ＰＣａ柱部材６の柱梁仕口部３に貫通孔１２を利用して貫通梁主筋７を配筋するようにしたので、予めあるいは現場施工であっても、柱梁仕口部３ａへの貫通梁主筋７の配筋作業を簡便に効率よく行うことができる。また、外殻ＰＣａ柱部材６の柱梁仕口部３ａの外表面にシャーコッタ３１を形成したので、当該外殻ＰＣａ柱部材６に接合される梁部材を強固に接続することができる。また、外殻ＰＣａ柱部材６にフープ筋１０などの柱剪断補強筋を埋設したので、現場での配筋作業を簡略化することができ、効率よく柱の構築作業を行うことができる。さらに、貫通梁主筋７に定着部３０を形成したので、特に隅柱位置や側柱位置に建て込まれる外殻ＰＣａ柱部材６であっても、配筋された貫通梁主筋７を、必要な支圧作用を確保して良好に埋設することができる。
【００２４】
本実施形態にかかる柱ユニット１を用いたＲＣ造柱・梁架構の施工の一例を、図６〜図１７に従って説明する。この例のＲＣ造柱・梁架構は、柱が柱ユニット１と１層用外殻ＰＣａ柱部材２とを交互に設けることによって構築され、梁がＰＣａ梁部材４，５によって構築される。
【００２５】
最初に、図６に示すように、外殻ＰＣａ柱部材６内部に柱主筋９を移動自在に設け、柱梁仕口部３ａには貫通梁主筋７を配筋し、かつまた当該貫通梁主筋７にスターラップ筋１３を配筋した柱ユニット１を、施工階である（ｎ）階の柱建て込み位置に建て込む。建て込みに際しては、外殻ＰＣａ柱部材６の下方へ柱主筋９を突出させた状態で柱ユニット１を吊り込み、当該外殻ＰＣａ柱部材６を（ｎ）階の床面に設置する前に、柱主筋９を、（ｎ）階床面の柱建て込み位置から突設されている既設の柱主筋８に接合する。その後、接合された柱主筋９に対して外殻ＰＣａ柱部材６を吊り下ろし、当該外殻ＰＣａ柱部材６を、柱主筋８，９同士の接合部を覆って、（ｎ）階床面に設置する。これにより、外殻ＰＣａ柱部材６は（ｎ）階から（ｎ＋１）階まで立ち上げられ、また柱主筋９は、ほぼ（ｎ＋３）階床面上の高さ位置まで立ち上げられる。
【００２６】
次に、図７に示すように、短尺ＰＣａ梁部材４ｂを、柱ユニット１側方の柱間に吊り降ろす。本実施形態にあっては、短尺ＰＣａ梁部材４ｂとして、上部にスターラップ筋１９の上端が突出されたハーフプレキャスト製のものが示されている。このハーフプレキャスト製の短尺ＰＣａ梁部材４ｂでは、梁下端主筋は埋設される一方で、梁上端主筋１８ａは、柱梁仕口部３ａの貫通梁主筋７に向かって移動自在に設けられる。
【００２７】
次に、図８に示すように、吊り込んだ短尺ＰＣａ梁部材４ｂを支保工２０で（ｎ）階床面上方に支持する。また、梁上端主筋１８ａを貫通梁主筋７と重ね合わせるように移動させる。梁下端主筋については、貫通梁主筋７に対し、突き合わせるなどして接合すればよい。
【００２８】
次に、図９に示すように、柱梁仕口部３ａの側方で、梁主筋７，１８同士の接合部を覆って型枠２１を設け、当該型枠２１内部に現場打ちコンクリートを打設して、短尺ＰＣａ梁部材４ｂを柱ユニット１の柱梁仕口部３ａに接合する。また、外殻ＰＣａ柱部材６内部にも現場打ちコンクリートを打設する。さらに、ハーフプレキャスト製の短尺ＰＣａ梁部材４ｂ上部から床面にわたってスラブコンクリートを打設して、（ｎ＋１）階の床構築作業を行うようにしてもよい。この際、外殻ＰＣａ柱部材６内部に打設するコンクリートと、梁主筋７，１８の接合部周りや、短尺ＰＣａ梁部材４ｂ上部、さらに床に打設するコンクリートとを打ち分けるようにしてもよい。以上により、図１０に示すように、（ｎ）階の柱・梁架構の構築が完了し、（ｎ＋１）階に上層柱部６ｂが立設された状態で、第１工程が完了する。
【００２９】
次に、図１１に示すように、長尺ＰＣａ梁部材５を、フープ筋１６を避けつつ、柱間に吊り降ろす。本実施形態にあっては、長尺ＰＣａ梁部材５も、上部にスターラップ筋１９の上端が突出されたハーフプレキャスト製とされ、梁下端主筋は埋設される一方で、梁上端主筋１７ａは、上層柱部６上の第２柱梁仕口部３ｂ位置に向かって移動可能に設けられる。
【００３０】
次に、図１２に示すように、吊り込んだ長尺ＰＣａ梁部材５を、支保工２０で（ｎ＋１）階床面上方に支持しつつ、外殻ＰＣａ柱部材６上に建て込む。梁上端主筋１７ａおよび梁下端主筋はそれぞれ、第２柱梁仕口部３ｂ位置で、隣接して建て込まれる図示しない他の長尺ＰＣａ梁部材の梁上端主筋および梁下端主筋と突き合わせるなどして接合される。梁上端主筋１７ａは、必要に応じて第２柱梁仕口部３ｂ位置に向かって移動させるようにしてもよい。またこの際、柱主筋９に予め保持されていたフープ筋１６を下降させて、第２柱梁仕口部３ｂ位置に配筋する。これにより、梁主筋１７を含めて、第２柱梁仕口部３ｂ位置に対する配筋を完了する。
【００３１】
次に、図１３に示すように、第２柱梁仕口部３ｂ位置を取り囲んで型枠２２を設け、当該型枠２２内部に現場打ちコンクリートを打設して、第２柱梁仕口部３ｂを構築しつつこれに長尺ＰＣａ梁部材５を接合する。外殻ＰＣａ柱部材６内部へのコンクリート打設については、図９に示した施工段階では若干打ち残しをしておき、当該第２柱梁仕口部３ｂの構築の際に、コンクリート打設を完了するようにしてもよい。この第２柱梁仕口部３ｂ位置に打設されるコンクリートは、柱と梁でコンクリートを打ち分ける場合には、柱用のコンクリートが打設される。他方、ハーフプレキャスト製の長尺ＰＣａ梁部材５上部から床面にわたってスラブコンクリートを打設して、（ｎ＋２）階の床構築作業を行うようにしてもよい。以上により、（ｎ＋１）階の柱・梁架構の構築が完了し、（ｎ＋２）階に柱主筋９がほぼ１階層分突出された状態で、第２工程が完了する。
【００３２】
次に、図１４に示すように、１層用外殻ＰＣａ柱部材２を、柱主筋９に挿通しつつ、第２柱梁仕口部３ｂ上に建て込んで、（ｎ＋２）階に設置する。次に、図１５に示すように、長尺ＰＣａ梁部材５を、柱間に吊り下ろす。その後、図１６に示すように、吊り込んだ長尺ＰＣａ梁部材５を、支保工２０で（ｎ＋２）階床面上方に支持しつつ、１層用外殻ＰＣａ柱部材２上に建て込む。梁上端主筋１７ａおよび梁下端主筋はそれぞれ、１層用外殻ＰＣａ柱部材２上の第３柱梁仕口部３ｃ位置で、隣接して建て込まれる図示しない他の長尺ＰＣａ梁部材の梁上端主筋および梁下端主筋と突き合わせるなどして接合される。梁上端主筋１７ａは、必要に応じて第３柱梁仕口部３ｃ位置に向かって移動させるようにしてもよい。またこの際、柱主筋９に別途準備したフープ筋２３を装着して、第３柱梁仕口部３ｃ位置に配筋する。これにより、梁主筋１７を含めて、第３柱梁仕口部３ｃ位置に対する配筋を完了する。
【００３３】
次に、図１７に示すように、第３柱梁仕口部３ｃ位置を取り囲んで型枠２２を設け、当該型枠２２内部に現場打ちコンクリートを打設して、第３柱梁仕口部３ｃを構築しつつこれに長尺ＰＣａ梁部材５を接合する。この第３柱梁仕口部３ｃ位置へのコンクリート打設に先立って、あるいはこれと同時に、１層用外殻ＰＣａ柱部材２内部に現場打ちコンクリートを打設する。第３柱梁仕口部３ｃ位置に打設されるコンクリートも、柱と梁でコンクリートを打ち分ける場合には、柱用のコンクリートが打設される。また、ハーフプレキャスト製の長尺ＰＣａ梁部材５上部から床面にわたってスラブコンクリートを打設して、（ｎ＋３）階の床構築作業を行うようにしてもよい。以上により、（ｎ＋２）階の柱・梁架構の構築が完了し、（ｎ＋３）階に、柱ユニット１の柱主筋９が、柱建て込み位置の既設の柱主筋として突設された状態で、第３工程が完了する。
【００３４】
そしてこれら第１工程から第３工程の手順を繰り返すことで、３階層分を一単位としてＲＣ造柱・梁架構が上方へ向かって順次構築されていく。
【００３５】
以上説明したＲＣ造柱・梁架構およびその構築方法の一例では、貫通梁主筋７が配筋された柱梁仕口部３ａを含む外殻ＰＣａ柱部材６および３階層にわたる柱主筋９とから構成される柱ユニット１と、当該柱主筋９に挿通される１層用外殻ＰＣａ柱部材２とを交互に設けて柱を構築するようにしたので、建物の３階層分を一単位として施工することができ、これにより柱主筋９の継ぎ手を減らすことができるとともに、少なくとも一つの柱梁仕口部３ａが外殻ＰＣａ柱部材６に予め組み込まれていて、柱梁仕口部３ａ〜３ｃに対する現場での配筋作業量を削減でき、現場施工による柱の構築作業量を軽減できるとともに、作業時間を短縮化できて、施工の合理化・省力化を達成することができる。そして本実施形態にかかるＲＣ造柱・梁架構の構築方法は、これら柱ユニット１、１層用外殻ＰＣａ柱部材２およびＰＣａ梁部材４，５によって構成されるＲＣ造柱・梁架構を効率よく構築することができる。
【図面の簡単な説明】
【００３６】
【図１】本発明にかかる柱ユニットの好適な一実施形態を示す、当該柱ユニットの建て込み状態を示す説明図である。
【図２】図１に示した柱ユニットに適用される外殻ＰＣａ柱部材の柱梁仕口部の平面断面図である。
【図３】図１に示した柱ユニットに適用される外殻ＰＣａ柱部材の柱部の平面断面図である。
【図４】図１に示した柱ユニットのうち、隅柱位置の柱ユニットに用いられる外殻ＰＣａ柱部材の柱梁仕口部の平面断面図である。
【図５】図１に示した柱ユニットに適用される外殻ＰＣａ柱部材に形成されるシャーコッタを示す正面図である。
【図６】図１に示した柱ユニットを用いたＲＣ造柱・梁架構の施工の一例であって、ＲＣ造柱・梁架構の高さ方向への第１手順を説明する説明図である。
【図７】図１に示した柱ユニットを用いたＲＣ造柱・梁架構の施工の一例であって、ＲＣ造柱・梁架構の高さ方向への第２手順を説明する説明図である。
【図８】図１に示した柱ユニットを用いたＲＣ造柱・梁架構の施工の一例であって、ＲＣ造柱・梁架構の高さ方向への第３手順を説明する説明図である。
【図９】図１に示した柱ユニットを用いたＲＣ造柱・梁架構の施工の一例であって、ＲＣ造柱・梁架構の高さ方向への第４手順を説明する説明図である。
【図１０】図１に示した柱ユニットを用いたＲＣ造柱・梁架構の施工の一例であって、ＲＣ造柱・梁架構の高さ方向への第５手順を説明する説明図である。
【図１１】図１に示した柱ユニットを用いたＲＣ造柱・梁架構の施工の一例であって、ＲＣ造柱・梁架構の高さ方向への第６手順を説明する説明図である。
【図１２】図１に示した柱ユニットを用いたＲＣ造柱・梁架構の施工の一例であって、ＲＣ造柱・梁架構の高さ方向への第７手順を説明する説明図である。
【図１３】図１に示した柱ユニットを用いたＲＣ造柱・梁架構の施工の一例であって、ＲＣ造柱・梁架構の高さ方向への第８手順を説明する説明図である。
【図１４】図１に示した柱ユニットを用いたＲＣ造柱・梁架構の施工の一例であって、ＲＣ造柱・梁架構の高さ方向への第９手順を説明する説明図である。
【図１５】図１に示した柱ユニットを用いたＲＣ造柱・梁架構の施工の一例であって、ＲＣ造柱・梁架構の高さ方向への第１０手順を説明する説明図である。
【図１６】図１に示した柱ユニットを用いたＲＣ造柱・梁架構の施工の一例であって、ＲＣ造柱・梁架構の高さ方向への第１１手順を説明する説明図である。
【図１７】図１に示した柱ユニットを用いたＲＣ造柱・梁架構の施工の一例であって、ＲＣ造柱・梁架構の高さ方向への第１２手順を説明する説明図である。
【符号の説明】
【００３７】
１  柱ユニット
３ａ  柱梁仕口部
６  外殻ＰＣａ柱部材
６ａ  下層柱部
６ｂ  上層柱部
７  貫通梁主筋
９  柱主筋
１０  フープ筋
１１  中子筋
１２  貫通孔
３０  定着部
３１  シャーコッタ
【図１】
0004611156.tif 000002
【図２】
0004611156.tif 000003
【図３】
0004611156.tif 000004
【図４】
0004611156.tif 000005
【図５】
0004611156.tif 000006
【図６】
0004611156.tif 000007
【図７】
0004611156.tif 000008
【図８】
0004611156.tif 000009
【図９】
0004611156.tif 000010
【図１０】
0004611156.tif 000011
【図１１】
0004611156.tif 000012
【図１２】
0004611156.tif 000013
【図１３】
0004611156.tif 000014
【図１４】
0004611156.tif 000015
【図１５】
0004611156.tif 000016
【図１６】
0004611156.tif 000017
【図１７】
0004611156.tif 000018